(57)【要約】【課題】 構造が簡単でしかもコストを下げることができる三連梯子を提供する。【解決手段】  前側梯子1の支柱後壁11bの前側に中間梯子2の支柱前壁13aが長さ方向に摺動可能に重ね合わせられることで、前側梯子1に対する中間梯子2の伸縮が可能とされており、中間梯子2の支柱後壁13bの後側に後側梯子3の支柱前壁15aが長さ方向に相対移動可能に重ね合わせられるとともに、これらが連結部材5を介して相対的に摺動可能に連結されることで、中間梯子2に対する後側梯子3の伸縮が可能とされている。【選択図】    図２
2005330673.tif 000002
【特許請求の範囲】
【請求項１】
前側梯子、中間梯子および後側梯子を伸縮可能に連結した三連梯子において、前側梯子は、開口を左右方向内方に向けた断面コの字状の支柱を有し、中間梯子および後側梯子は、開口を左右方向外方に向けた断面コの字状の支柱をそれぞれ有しており、前側梯子の支柱後壁の前側に中間梯子の支柱前壁が長さ方向に摺動可能に重ね合わせられることで、前側梯子に対する中間梯子の伸縮が可能とされており、中間梯子の支柱後壁と後側梯子の支柱前壁とが長さ方向に相対移動可能に重ね合わせられるとともにこれらが連結部材を介して相対的に摺動可能に連結されることで、中間梯子に対する後側梯子の伸縮が可能とされていることを特徴とする三連梯子。
【請求項２】
連結部材は、互いに重ね合わせられた中間梯子の支柱後壁と後側梯子の支柱前壁とがそれぞれ移動可能に挿通されている開口を左右方向内方に向けた断面コの字状の案内部と、案内部に連なって設けられて中間梯子および後側梯子のいずれか一方の支柱側壁に固定される取付け部とからなる請求項１の三連梯子。
【請求項３】
各梯子の支柱の前後壁には、前後方向の内方に突出する突出縁部が設けられており、連結部材の案内部の内周面には、中間梯子の支柱後壁の突出縁部および後側梯子の支柱前壁の突出縁部のいずれか一方が嵌め入れられている凹所が形成されている請求項２の三連梯子。
【発明の詳細な説明】
【技術分野】
【０００１】
この発明は、前側梯子、中間梯子および後側梯子を伸縮可能に連結した三連梯子に関する。
【背景技術】
【０００２】
前側梯子、中間梯子および後側梯子を伸縮可能に連結した三連梯子は、従来より知られている（例えば特許文献１）。
【０００３】
この三連梯子によると、中間梯子は、前側梯子よりも小サイズとされるとともに、前側梯子内に収納されるように前側梯子に摺動可能に連結され、後側梯子は、中間梯子よりも小サイズとされるとともに、中間梯子内に収納されるように中間梯子に摺動可能に連結されている。
【特許文献１】特開２００１−２０６４５号公報
【発明の開示】
【発明が解決しようとする課題】
【０００４】
上記従来の三連梯子によると、前側梯子、中間梯子および後側梯子がそれぞれ異なるサイズであるため、加工や組立てに多くの時間が必要でコストが高く付くという問題があった。
【０００５】
この発明の目的は、構造が簡単でしかもコストを下げることができる三連梯子を提供することにある。
【課題を解決するための手段】
【０００６】
この発明による三連梯子は、前側梯子、中間梯子および後側梯子を伸縮可能に連結した三連梯子において、前側梯子は、開口を左右方向内方に向けた断面コの字状の支柱を有し、中間梯子および後側梯子は、開口を左右方向外方に向けた断面コの字状の支柱をそれぞれ有しており、前側梯子の支柱後壁の前側に中間梯子の支柱前壁が長さ方向に摺動可能に重ね合わせられることで、前側梯子に対する中間梯子の伸縮が可能とされており、中間梯子の支柱後壁と後側梯子の支柱前壁とが長さ方向に相対移動可能に重ね合わせられるとともにこれらが連結部材を介して相対的に摺動可能に連結されることで、中間梯子に対する後側梯子の伸縮が可能とされていることを特徴とするものである。
【０００７】
連結部材は、例えば、互いに重ね合わせられた中間梯子の支柱後壁と後側梯子の支柱前壁とがそれぞれ移動可能に挿通されている開口を左右方向内方に向けた断面コの字状の案内部と、案内部に連なって設けられて中間梯子および後側梯子のいずれか一方の支柱側壁に固定される取付け部とからなるものとされる。このようにすると、連結部材を左右で同じ形状のものを使用することができる。
【０００８】
また、各梯子の支柱の前後壁には、前後方向の内方に突出する突出縁部が設けられており、連結部材の案内部の内周面には、中間梯子の支柱後壁の突出縁部および後側梯子の支柱前壁の突出縁部のいずれか一方が嵌め入れられている凹所が形成されていることがある。このようにすると、左右・前後のがたつきをより一層抑えることができる。
【発明の効果】
【０００９】
この発明の三連梯子によると、前側梯子、中間梯子およびこれらの連結部材は、通常の二連梯子と同じ構成とすることができ、後側梯子としては、二連梯子の中間梯子（上梯子）をそのまま使用することができ、二連梯子の部品数に比べると、中間梯子と後側梯子とを連結する連結部材だけが増加するのみであり、加工や組立ての時間が少なくてよく、コストを下げることができる。
【発明を実施するための最良の形態】
【００１０】
この発明の実施の形態を、以下図面を参照して説明する。この明細書において、前とは図２の下を、後とは同図の上をいうものとする。
【００１１】
この発明による三連梯子は、左右一対の支柱(11)および複数の踏桟(12)からなる前側梯子（下梯子）(1)と、左右一対の支柱(13)および複数の踏桟(14)からなり前側梯子(1)の後側に摺動自在に連結された中間梯子（中梯子）(2)と、左右一対の支柱(15)および複数の踏桟(16)からなり中間梯子(2)の後側に摺動自在に連結された後側梯子（上梯子）(3)と、使用状態での梯子(1)(2)(3)同士の移動を阻止する係止爪(4)とを備えている。
【００１２】
前側梯子(1)と中間梯子(2)とは、二連梯子で通常行われているかみ合わせ式により連結されており、中間梯子(2)と後側梯子(3)とは、左右それぞれに複数（図示した例では、上中下の３つ）配された連結部材(5)を使用したガイド式連結とされている。
【００１３】
各梯子(1)(2)(3)間の摺動操作は、公知であり、例えば、中間梯子(2)を伸長させて係止爪(4)が前側梯子(1)の踏桟(3)を越えてすぐに伸長を停止すると、係止爪(4)がばねに付勢されてその踏桟(12)に係合し、中間梯子(2)をさらに伸長させて係止爪(4)が前側梯子(1)の踏桟(12)を所定量以上越えてから伸長を停止すると、係止爪(4)と踏桟(12)との係合が解除されて、収縮可能状態が得られる。なお、滑車・ロープ等の梯子を伸縮するための構成については、簡単のためその図示を省略している。
【００１４】
図２に示すように、前側梯子(1)の支柱(11)は、前壁(11a)、後壁(11b)および側壁(11c)を有し開口を左右方向内方に向けた断面コの字状とされており、中間梯子(2)および後側梯子(3)の支柱(13)(15)は、前壁(13a)(15a)、後壁(13b)(15b)および側壁(13c)(15c)を有し開口を左右方向外方に向けた断面コの字状とされている。
【００１５】
そして、前側梯子(1)の支柱後壁(11b)の前側に中間梯子(2)の支柱前壁(13a)が長さ方向に摺動可能に重ね合わせられることで、前側梯子(1)に対する中間梯子(2)の伸縮が可能とされており、中間梯子(2)の支柱後壁(13b)の後側に後側梯子(3)の支柱前壁(15a)が長さ方向に相対移動可能に重ね合わせられるとともにこれらが連結部材(5)を介して相対的に摺動可能に連結されることで、中間梯子(2)に対する後側梯子(3)の伸縮が可能とされている。
【００１６】
各連結部材(5)は、開口を左右方向内方に向けた断面コの字状の案内部(17)と、案内部(17)のいずれか一方の開口縁部から前後方向にのびる取付け部(18)とからなる。連結部材(5)の上下方向の長さは、踏桟(12)(14)(16)の高さ程度とされており、中間梯子(2)の支柱(13)の上部および後側梯子(3)の支柱(15)の下部に配置されている。そして、互いに重ね合わせられた中間梯子(2)の支柱後壁(13b)と後側梯子(3)の支柱前壁(15a)とが移動可能に案内部(17)に挿通されるとともに、中間梯子(2)の支柱側壁(13c)または後側梯子(3)の支柱側壁(15c)に取付け部(18)が固定されている。
【００１７】
各支柱(11)(13)(15)の前後壁(11a)(11b)(13a)(13b)(15a)(15b)の先端部には、前後方向の内方に突出する突出縁部が設けられており、連結部材(5)の案内部(17)の内周面には、中間梯子(2)の支柱後壁(13b)の突出縁部(13d)および後側梯子(3)の支柱前壁(15a)の突出縁部(15d)のいずれか一方が嵌め入れられている凹所(17a)が形成されている。
【００１８】
なお、連結部材(5)の取付け部(18)は、支柱(13)(15)にボルト等で取り付けられる。連結部材(5)は、すべて同じ形状のものが使用されており、支柱(13)(15)への取付けに際しては、左右で対称となるようにする。
【図面の簡単な説明】
【００１９】
【図１】この発明による三連梯子を示す斜視図である。
【図２】図１のII-II線に沿う断面図である。
【符号の説明】
【００２０】
(1)             前側梯子
(2)             中間梯子
(3)             後側梯子
(4)             係合爪
(5)             連結部材
(11)(13)(15)    支柱
(11a)(13a)(15a) 前壁
(11b)(13b)(15b) 後壁
(13d)(15d)      突出縁部
(17)            案内部
(17a)           凹所
(18)            取付け部
【図１】
2005330673.tif 000003
【図２】
2005330673.tif 000004